(57)【特許請求の範囲】
【請求項１】
上面の同じ位置に被係止部を有し、高さ寸法が相違する複数種類のカートリッジが選択的に挿入されるカートリッジホルダ装置であって、
横板部とこの両側の側板部とを有し、挿入されるカートリッジの底面と両側の側面を支持するカートリッジ支持部材と、
前記カートリッジ支持部材の両側の側板部の間に配置してあり、前記カートリッジ支持部材と協働してカートリッジ収容空間を画成し、挿入されるカートリッジの上面側に位置してカートリッジの上面を支持するカートリッジ上面支持部材と、
挿入されるカートリッジによって前記カートリッジ上面支持部材が、挿入されるカートリッジに対応したカートリッジ収容空間を形成するように、前記カートリッジ上面支持部材を支持するカートリッジ上面支持部材支持機構と、
前記カートリッジ上面支持部材及び前記カートリッジ上面支持部材支持機構に支持してあり、挿入されたカートリッジの前記被係止部を係止してグリップするカートリッジグリップ機構とを有し、
前記カートリッジ上面支持部材支持機構は、前記カートリッジ支持部材に支持されており前記カートリッジ上面支持部材を吊る吊り部材よりなり、高さ寸法の大きいカートリッジが挿入された場合に、前記吊り部材が回動することによって、前記カートリッジ上面支持部材がスイングしてカートリッジが挿入される方向に斜め上方に移動させるように支持する構成であり、
前記カートリッジグリップ機構は、前記カートリッジ上面支持部材支持機構が動作して前記カートリッジ上面支持部材が前記カートリッジ収容空間の大きさを変えるように動かされた場合に、挿入されたカートリッジの前記被係止部を係止する係止部がカートリッジを挿入する方向の位置を維持しつつ上下に変位する構成とし、
前記カートリッジグリップ機構は、
前記係止部を有し、前記カートリッジ上面支持部材に支持してあるカートリッジグリップ部材と、
前記吊り部材に支持されており、カートリッジが挿入される方向とは反対の方向に斜め下方に向いており、先端が前記カートリッジグリップ部材と連結してあるリンク部材とよりなり、
前記吊り部材の前記回動に伴って前記リンク部材が前記吊り部材に関して前記吊り部材の回動方向とは逆方向に回動して、前記カートリッジグリップ部材がカートリッジが挿入される方向とは逆の方向に移動されて、前記係止部はカートリッジを挿入する方向の位置を維持しつつ上方に変位する構成としたことを特徴とするカートリッジホルダ装置。
【請求項２】
請求項１に記載のカートリッジホルダ装置において、
前記カートリッジグリップ部材は、板ばね製であり、前記吊り部材の下側をくぐって配置してあり、前記吊り部材よりカートリッジが挿入される方向と同じ方向に延在している部分が、先端に前記係止部を有するスパン部である構成としたことを特徴とするカートリッジホルダ装置。
【請求項３】
請求項１に記載のカートリッジホルダ装置において、
前記カートリッジグリップ部材とリンク部材とは連結ピンで連結してあり、
前記連結ピンの両端が、前記カートリッジ上面支持部材の上面に形成してあるガイドレールに移動可能に嵌合してある構成としたことを特徴とするカートリッジホルダ装置。
【請求項４】
請求項１乃至請求項３のうち何れか一項に記載のカートリッジホルダ装置を備えた磁気記録再生装置。
【発明の詳細な説明】
【技術分野】
【０００１】
本発明はカートリッジホルダ装置に係り、特に磁気記録再生装置用のカートリッジホルダ装置に関する。
【０００２】
コンピュータの外部記憶装置として用いられるストリーマ装置の一つに、ＶＴＲと同じく回転ドラム及びテープローディング機構を備えてなり、テープカートリッジを利用した構成である磁気記録再生装置の一種であるストリーマ装置が商品化されている。
【０００３】
現在、ストリーマ装置の記憶容量は、圧縮モードで、例えば７２Ｇｂｙｔｅと多い。しかし、市場には、記憶容量を増大の要求があり、これに対応するべく、各メーカはストリーマ装置の改良を進めている。
【０００４】
記憶容量を増大する一つの方法として、現行のテープカートリッジの磁気テープのテープ幅よりも広いテープ幅の磁気テープが収容された新しいテープカートリッジを使用できるようにする方法がある。
【０００５】
テープカートリッジを利用する磁気記録再生装置には、挿入されたテープカートリッジを保持するテープカートリッジホルダを移動させて、テープカートリッジを自動的に装着するテープカートリッジ自動装着装置が設けてある。
【０００６】
上記の新しいテープカートリッジを使用できるようにするためには、テープカートリッジホルダを、現行のテープカートリッジと新しいテープカートリッジとが選択的に挿入されて、現行のテープカートリッジは勿論、新しいテープカートリッジも正常に保持できる構成とする必要がある。
【背景技術】
【０００７】
従来のテープカートリッジ自動装着装置のテープカートリッジホルダは、同じ外形寸法のテープカートリッジだけが挿入される構成である。
【発明の開示】
【発明が解決しようとする課題】
【０００８】
新しいテープカートリッジも使用できるようにするためには、現行のテープカートリッジと新しいテープカートリッジとが選択的に挿入されて保持できるようにしたテープカートリッジホルダを実現する必要がある。
【０００９】
そこで、本発明は、上記課題を解決したカートリッジホルダ装置を提供することを目的とする。
【課題を解決するための手段】
【００１０】
そこで、上記課題を解決するため、本発明は、上面の同じ位置に被係止部（１９、２９）を有し、高さ寸法が相違する複数種類のカートリッジ（１０、２０）が選択的に挿入されるカートリッジホルダ装置であって、
横板部（５２）とこの両側の側板部（５３，５４）とを有し、挿入されるカートリッジの底面と両側の側面を支持するカートリッジ支持部材（５１）と、
前記カートリッジ支持部材の両側の側板部の間に配置してあり、前記カートリッジ支持部材と協働してカートリッジ収容空間を画成し、挿入されるカートリッジの上面側に位置してカートリッジの上面を支持するカートリッジ上面支持部材（６０）と、
挿入されるカートリッジによって前記カートリッジ上面支持部材が、挿入されるカートリッジに対応したカートリッジ収容空間を形成するように、前記カートリッジ上面支持部材を支持するカートリッジ上面支持部材支持機構（７０）と、
前記カートリッジ上面支持部材及び前記カートリッジ上面支持部材支持機構に支持してあり、挿入されたカートリッジの前記被係止部を係止してグリップするカートリッジグリップ機構（１５０）とを有し、
前記カートリッジ上面支持部材支持機構は、前記カートリッジ支持部材に支持されており前記カートリッジ上面支持部材を吊る吊り部材よりなり、高さ寸法の大きいカートリッジが挿入された場合に、前記吊り部材が回動することによって、前記カートリッジ上面支持部材がスイングしてカートリッジが挿入される方向に斜め上方に移動させるように支持する構成であり、
前記カートリッジグリップ機構は、前記カートリッジ上面支持部材支持機構が動作して前記カートリッジ上面支持部材が前記カートリッジ収容空間の大きさを変えるように動かされた場合に、挿入されたカートリッジの前記被係止部を係止する係止部（１５１ａ）がカートリッジを挿入する方向の位置を維持しつつ上下に変位する構成とし、
前記カートリッジグリップ機構は、
前記係止部を有し、前記カートリッジ上面支持部材に支持してあるカートリッジグリップ部材と、
前記吊り部材に支持されており、カートリッジが挿入される方向とは反対の方向に斜め下方に向いており、先端が前記カートリッジグリップ部材と連結してあるリンク部材とよりなり、
前記吊り部材の前記回動に伴って前記リンク部材が前記吊り部材に関して前記吊り部材の回動方向とは逆方向に回動して、前記カートリッジグリップ部材がカートリッジが挿入される方向とは逆の方向に移動されて、前記係止部はカートリッジを挿入する方向の位置を維持しつつ上方に変位する構成としたことを特徴とする。
【発明の効果】
【００１１】
本発明によれば、種類の異なるカートリッジについて、共に同じ位置まで挿入したときに、カートリッジをグリップすることが出来る。
【発明を実施するための最良の形態】
【００１２】
次に本発明の実施の形態について説明する。
【実施例１】
【００１３】
［ストリーマ装置３０、現行テープカートリッジ１０、新型テープカートリッジ２０］
先ず、本発明の実施例１のテープカートリッジホルダが適用されるストリーマ装置３０及び現行テープカートリッジ１０及び新型テープカートリッジ２０について、図１６を参照して概略的に説明する。Ｘ１−Ｘ２は幅方向、Ｙ１−Ｙ２は奥行き方向、Ｚ１−Ｚ２は高さ方向である。
【００１４】
ストリーマ装置３０は、回転ドラム装置３１と、装着されたテープカートリッジから磁気テープを引き出して所定のパスにローディングする磁気テープローディング機構３４と、リール軸３２，３３と、第１のカートリッジである現行テープカートリッジ１０の他に第２のカートリッジである新型テープカートリッジ２０も保持可能であるテープカートリッジホルダ５０等を備えた構成である。
【００１５】
現行テープカートリッジ１０は、図１７（Ａ），（Ｂ）に併せて示すように、縦Ａ×横Ｂ×高さＣの外形寸法を有する。現行テープカートリッジ１０は、箱体１１と前側の蓋１２と底面のスライド板（図示せず）とよりなるカートリッジ本体１３の内部に、幅Ｗ１が４ｍｍの磁気テープ１４が、供給リール１５と巻取リール１６とに巻かれて、且つ、蓋１２の裏面に沿うテープパス１７を形成して収容してあり、底面のうち前面寄りの部分に装着時に開かれるポール収容空間１８を有する構成である。また、箱体１１の天板のうち蓋１２の近くの位置に被係止部としての凹部１９を有する。この凹部１９は、後述するカートリッジホルダのグリップ用板ばねの凸部が嵌合する部分である。
【００１６】
新型テープカートリッジ２０は、図１７（Ｃ），（Ｄ）に併せて示すように、縦Ａ×横Ｂ×高さＣ１の外形寸法を有する。新型テープカートリッジ２０は、箱体２１と前側の蓋２２と底面のスライド板（図示せず）とよりなるカートリッジ本体２３との内部に、幅Ｗ２が８ｍｍの磁気テープ２４が、供給リール２５と巻取リール２６とに巻かれて、且つ、蓋２２の裏面に沿うテープパス２７を形成して収容してあり、底面のうち前面寄りの部分に装着時に開かれるポール収容空間２８を有する。新型テープカートリッジ２０のサイズは、縦Ａと横Ｂは、現行テープカートリッジ１０と同じであり、高さＣ１が現行テープカートリッジ１０の高さＣの約１．５倍である。
【００１７】
新型テープカートリッジ２０にも、箱体２１の天板に凹部２９が形成してある。凹部２９の位置は、上記凹部１９に対応する位置である。
［テープカートリッジホルダ装置５０］
図１（Ａ）は本発明の実施例１のテープカートリッジホルダ装置５０のスケルトン図である。図１（Ｂ）は現行テープカートリッジ１０が挿入された状態を示し、図１（Ｃ）は新型テープカートリッジ２０が挿入された状態を示す。
【００１８】
図２はテープカートリッジホルダ装置５０の初期状態の斜視図、図３は図２中、第１、第２ロック部材８２、９１を分解して示す斜視図である。図４はテープカートリッジホルダ装置５０の初期状態の正面図、図５は図４中、第１、第２ロック部材８２，９１を分解して示す図である。図６はテープカートリッジホルダ装置５０の初期状態の側面図である。図７はテープカートリッジホルダ装置５０の初期状態の平面図である。
【００１９】
テープカートリッジホルダ装置５０は、Ｘ１側の機構とＸ２側の機構とが同じであり、以下は、主にＸ１側の機構について説明する。
【００２０】
各図に示すように、テープカートリッジホルダ装置５０は、カートリッジ支持部材５１と、カートリッジ上面支持部材６０と、カートリッジ上面支持部材支持機構７０と、二重ロック機構８０と、テープカートリッジグリップ機構１５０を有する。二重ロック機構８０は、第１のロック機構８１と、第２のロック機構９０とを有する。
【００２１】
カートリッジ支持部材５１は、Ｙ２側から見てＵ字形状であり、横板部５２と、この両側の側板部５３、５４とを有する。横板部５２はＹ２側に張り出した張り出し部５２ａを有する。
【００２２】
カートリッジ上面支持部材支持機構７０は、両端を側板部５３、５４に回動可能に支持されて側板部５３、５４の間に平行に横架してある第１、第２の吊り部材７１、７２を有する。７３は第１の吊り部材７１の軸支部、７４は第２の吊り部材７２の軸支部である。第１の吊り部材７１はＹ２側から見て逆Ｕ字形状であり、Ｘ１及びＸ２側にＺ２方向に延びている腕部７１ａ、腕部７１ｂを有する。第２の吊り部材７２は、第１の吊り部材７１と同じく、Ｙ２側から見て逆Ｕ字形状であり、Ｘ１及びＸ２側にＺ２方向に延びている腕部７２ａ、腕部７２ｂを有する。Ｚ１側からみて、腕部７１ａ、７１ｂ、７２ａ、７２ｂは、長方形の各コーナ部に対応する位置に配置してある。
【００２３】
カートリッジ上面支持部材６０は、長方形状の板状であり、各コーナ付近を腕部７１ａ、７１ｂ、７２ａ、７２ｂの端に回動可能に連結されて支持されており、側板部５３、５４の間に配置してある。カートリッジ上面支持部材６０は、カートリッジ支持部材５１と協働してカートリッジ収容空間を画成し、挿入されるカートリッジの上面側に位置してカートリッジの上面を支持する。
【００２４】
よって、カートリッジ上面支持部材６０は、第１、第２の吊り部材７１、７２が振り子のような回動をすることによって、図１（Ａ）に示す初期高さＨ１と、図１（Ｂ）に示す移動後の高さＨ２との間でスイングして移動する。初期高さＨ１は、現行テープカートリッジ１０に対応する高さであり、移動後の高さＨ２は、新型テープカートリッジ２０に対応する高さである。
【００２５】
初期状態では、図４に示すように、カートリッジ支持部材５１とカートリッジ上面支持部材６０とによって、現行テープカートリッジ１０に対応する現行テープカートリッジ収容空間１００が画成される。現行テープカートリッジ収容空間１００はＹ１側に長方形の入口部１０１を有する。入口部１０１は四つのコーナ、即ち、（Ｘ１，Ｚ２）側のコーナ１０２、（Ｘ１，Ｚ１）側のコーナ１０３、（Ｘ２，Ｚ２）側のコーナ１０４、（Ｘ２，Ｚ１）側のコーナ１０５を有する。
図７に示すように、カートリッジ上面支持部材６０が移動後の高さＨ２に移動した場合には、現行テープカートリッジ収容空間１００がＺ１方向に拡大されて、新型テープカートリッジ２０に対応する新型テープカートリッジ収容空間１１０が画成される。
【００２６】
図３に示すように、カートリッジ上面支持部材６０は、そのＸ１端にロックピン６１を有する。ロックピン６１は、側板部５３の長溝５３ａを通って側板部５３のＸ１側に突き出ている。側板部５３に取り付けてあるトーションコイルばね部材７５の一つの腕部によって、ロックピン６１はＹ２方向に付勢されている。
【００２７】
同じく図３に示すように、第１のロック機構８１は、第１のロックレバー８２を有する。第１のロックレバー８２は、一端にフック部８３、他端にカートリッジ検知ピン８４を有する。第１のロックレバー８２は、略中央の孔部８５を側板部５３上の軸８６に嵌合してあり、ばね部材８７により時計方向に付勢されており、フック部８３がＺ１側からロックピン６１を係止している。カートリッジ検知ピン８４は、図４に示すように、現行テープカートリッジ収容空間１００のＹ１側の入口部１０１の（Ｘ１，Ｚ２）側のコーナ１０２に位置しており、Ｘ２方向に延びている。
【００２８】
同じく図３に示すように、第２のロック機構９０は、第２のロックレバー９１を有する。第２のロックレバー９１は、一端にフック部９２、他端にカートリッジ検知ピン９３を有する。第２のロックレバー９１は、略中央の孔部９４を側板部５３上の軸９５に嵌合してあり、ばね部材８６により反時計方向に付勢されており、フック部９２がＺ２側からロックピン６１を係止している。カートリッジ検知ピン９３は、図４に示すように、現行テープカートリッジ収容空間１００の入口部１０１の（Ｘ１，Ｚ１）側のコーナ１０３に位置しており、Ｘ２方向に延びている。
【００２９】
図４に示すように、テープカートリッジホルダ装置５０のＸ２側にも第１のロック機構８１Ａと第２のロック機構９０Ａが設けてあり、現行テープカートリッジ収容空間１００の入口部１０１の（Ｘ２，Ｚ２）側のコーナ１０４にカートリッジ検知ピン８４Ａが、（Ｘ２，Ｚ１）側のコーナ１０５にカートリッジ検知ピン９３Ａが夫々配置してある。
【００３０】
初期状態では、カートリッジ上面支持部材６０は、Ｘ１側を二重に及びＸ２側を二重にロックされている。
［テープカートリッジグリップ機構１５０］
図１２はテープカートリッジグリップ機構１５０を拡大して示し、図１３はテープカートリッジグリップ機構１５０を分解して示す。図１４はテープカートリッジグリップ機構１５０及びカートリッジ上面支持部材支持機構７０の側面図であり、（Ａ）は初期の状態、（Ｂ）は動作時の状態を示す。
【００３１】
テープカートリッジグリップ機構１５０は、所定位置まで挿入された現行テープカートリッジ１０の凹部１９に嵌合して現行テープカートリッジ１０をテープカートリッジホルダ装置５０内に保持し、同じく所定位置まで挿入された新型テープカートリッジ２０の凹部２９に嵌合して新型テープカートリッジ２０をテープカートリッジホルダ装置５０内に保持する働きをするものである。
【００３２】
テープカートリッジグリップ機構１５０は、カートリッジグリップ部材１５１と、リンク部材１５５とを有し、カートリッジ上面支持部材支持機構７０及びカートリッジ上面支持部材６０の一部を利用している構成である。
【００３３】
第２の吊り部材７２は中央に切欠部７２ａを有し、この切欠部７２ａ内にピン７２ｂが突き出ており、Ｘ１−Ｘ２方向上、対向している。
【００３４】
カートリッジ上面支持部材６０は、Ｙ１側に立上げリブ部６０ａを有し、立上げリブ部リブ部６０ａの根元の部分及びこの部分からＹ２側の部分にスリット６０ｂを有する。スリット６０ｂはＺ１方向に撓まされるスパン部スパン部１５１ｂと干渉しない大きさとしてある。６０ｃはブリッジ部であり、リブ部６０ａの一部であり、スリット６０ｂの上側の部分である。
【００３５】
カートリッジグリップ部材１５１は、長方形の板ばね部材であり、Ｙ１端にＺ２方向に凸の係止部としての凸部１５１ａを有する。この凸部１５１ａは前記の凹部１９、２９に嵌合する部分である。カートリッジグリップ部材１５１は、カートリッジ上面支持部材６０上に載っており、第２の吊り部材７２の下側をくぐって、Ｙ１側はスリット６０ｂを通してあり、凸部１５１ａはカートリッジ上面支持部材６０よりもＹ１側に位置している。１５１ｂはスパン部であり、カートリッジグリップ部材１５１のうち第２の吊り部材７２よりＹ１側に延びている部分であり、弾性的に撓まされる部分である。スパン部１５１ｂは斜め下方向を向いており、凸部１５１ａはカートリッジ上面支持部材６０の下面よりもＺ２側に位置している。凸部１５１ａがＺ１方向に変位された場合に、カートリッジグリップ部材１５１はブリッジ部６０ｃに係止されて拘束され、スパン部１５１ｂが弾性的に撓まされる。
【００３６】
リンク部材１６０は、上端部を第２の吊り部材７２の中央の切欠部７２ａ内のピン７２ｂに回動可能に支持されており、Ｚ２とＹ２との間の方向（カートリッジが挿入される方向とは反対の方向の斜め下方向）に延在している。リンク部材１６０の先端とカートリッジグリップ部材１５１のＹ２側とが連結ピン１５６でもって回動可能に連結してある。
【００３７】
カートリッジ上面支持部材６０上にはガイドレール部材６２，６３が固定してあり、ガイドレール６４，６５が形成してある。連結ピン１５６の両端がガイドレール６４，６５にＹ１−Ｙ２方向に移動可能に嵌合してある。よって、カートリッジグリップ部材１５１のＹ２端はカートリッジ上面支持部材６０よりの浮き上がりを制限されている。
【００３８】
図１５（Ａ）に示すように、凸部１５２は、現行テープカートリッジ１０が最終位置Ｐ１まで挿入されたときに、凹部１９に対向する位置Ｐ２に位置する。
［現行テープカートリッジ１０の挿入、装着、イジェクト］
操作者は、現行テープカートリッジ１０の背面側の部分を掴んで、先端側をフロントパネルの挿入口に差し込む操作をする。
【００３９】
現行テープカートリッジ１０は、先端側がフラップ１２５，１２６を押し開いて横板部５２の張り出し部５２ａに載ってこの上を滑って、Ｙ２側から、入口部１０１を通って現行テープカートリッジ収容空間１００内に、箱体１１の端がカートリッジ支持部材５１の横板部５２のＹ１側の立上げラグ５２ａに当る所定の位置Ｐ１まで挿入され、図１（Ｂ）、図８及び図９、及び図１５（Ａ）に示すように、横板部５２に支持され、両側を側板部５３、５４により規制され、上面１０ａをカートリッジ上面支持部材６０によって支持される。
【００４０】
現行テープカートリッジ１０が入口部１０１を通るときに、現行テープカートリッジ１０の下面がカートリッジ検知ピン８４、８４ＡをＺ２方向に押し下げ、第１のロックレバー８２が反時計方向に回動され、フック部８３がロックピン６１から外れて、第１のロック機構８１は解除されるけれども、第２のロック機構９０はロック状態を維持し、カートリッジ上面支持部材６０は初期位置に固定されている。よって、現行テープカートリッジ１０はテープカートリッジホルダ装置５０内に正常に挿入されて現行テープカートリッジ収容空間１００内に正常に収容されて保持される。
【００４１】
テープカートリッジグリップ機構１５０は以下のように動作する。
【００４２】
現行テープカートリッジ１０の挿入の最終段階において、現行テープカートリッジ１０自体が凸部１５１ａをＺ１方向に押し上げ、スパン部１５１ｂを撓ませる。図１（Ｂ）、図８及び図９、及び図１５（Ａ）に示すように、現行テープカートリッジ１０が最終位置Ｐ１にまで挿入されたときに、凸部１５１ａがスパン部１５１ｂのばね力によって凹部１９に嵌合して現行テープカートリッジ１０をグリップする。
【００４３】
続いて、テープカートリッジ自動装着装置（図示せず）が動作し、テープカートリッジホルダ装置５０が所定の位置まで移動され、図９に一点鎖線示すように、現行テープカートリッジ１０はテープカートリッジホルダ装置５０と共に所定の位置まで移動されてストリーマ装置３０に装着される。この過程で、図２に示す蓋開きレバー１２９によって、蓋１２が開かれる。
【００４４】
また、イジェクト指令が送られると、テープカートリッジ自動装着装置（図示せず）が上記とは逆方向に動作し、装着されている現行テープカートリッジ１０はテープカートリッジホルダ装置５０と共に図９に示す位置までイジェクトされる。その後に、操作者が現行テープカートリッジ１０のうちストリーマ装置３０より突き出ている部分を掴んで引き抜く操作を行なうことによって、現行テープカートリッジ１０がストリーマ装置３０より取り出される。
【００４５】
テープテープカートリッジグリップ機構１５０が現行テープカートリッジ１０をグリップしているため、テープカートリッジ自動装着装置の動作時に、現行テープカートリッジ１０はテープカートリッジホルダ装置５０と共に移動される。
［新型テープカートリッジ２０の挿入、装着、イジェクト］
操作者は、新型テープカートリッジ２０の背面側の部分を掴んで、先端側をフロントパネルの挿入口に差し込む操作をする。
【００４６】
新型テープカートリッジ２０は、先端側がフラップ１２５，１２６を押し開いて横板部５２の張り出し部５２ａ上を滑ってＹ１方向に移動する。このとき、新型テープカートリッジ２０の下面がカートリッジ検知ピン８４、８４ＡをＺ２方向に押し下げ、且つ、上面がカートリッジ検知ピン９３、９３ＡをＺ１方向に押し上げる。これによって、第１のロックレバー８２が反時計方向に回動され、且つ第２のロックレバー９１が時計方向に回動され、フック部８３及びフック部９２共にロックピン６１から外れて、第１のロック機構８１及び第２のロック機構９０が共に解除され、カートリッジ上面支持部材６０はＹ１方向に移動可能となる。
【００４７】
新型テープカートリッジ２０の先端面と上面と角部がカートリッジ上面支持部材６０のＹ２側端に当り、カートリッジ上面支持部材６０は新型テープカートリッジ２０によってＹ１方向に押されて移動し、振り子のように回動をする第１、第２の吊り部材７１、７２に支持されつつ略Ｙ１とＺ１との間の方向にスイングして移動する。カートリッジ上面支持部材６０が新型テープカートリッジ２０の上面よりも高くなると、新型テープカートリッジ２０はカートリッジ上面支持部材６０の下面側にもぐり込み、新型テープカートリッジ収容空間１１０内に挿入され、図１（Ｃ）、図１０及び図１１に示すように、横板部５２に支持され、両側を側板部５３、５４により規制され、上面２０ａをカートリッジ上面支持部材６０によって支持されて、テープカートリッジホルダ装置５０内に保持される。
【００４８】
テープカートリッジグリップ機構１５０は以下のように動作する。
【００４９】
図１４（Ｂ）及び図１５（Ｃ）に示すように、カートリッジ上面支持部材６０が新型テープカートリッジ２０によってＹ１方向に押されて移動し、振り子のように回動をする第１、第２の吊り部材７１、７２に支持されつつ略Ｙ１とＺ１との間の方向にスイングして移動するときに、カートリッジグリップ部材１５１はカートリッジ上面支持部材６０によって押し上げられ、リンク部材１６０はピン７２ｂに関して時計方向（第２の吊り部材７２の回動する方向とは逆の方向）に回動され、カートリッジグリップ部材１５１はカートリッジ上面支持部材６０上をＹ２方向に移動される。凸部１５２はＹ１−Ｙ２方向については位置Ｐ２に維持されつつ、Ｚ１方向に変位される。
【００５０】
新型テープカートリッジ２０の挿入の最終段階において、現行テープカートリッジ１０自体が凸部１５２をＺ１方向に押し上げ、スパン部１５１ｂを撓ませる。図１（Ｃ）、図１０及び図１１、及び図１５（Ｄ）に示すように、現行テープカートリッジ１０が最終位置Ｐ１にまで挿入されたときに、凸部１５１ａがスパン１５１ｂのばね力によって凹部２９に嵌合して新型テープカートリッジ２０をグリップする。
【００５１】
続いて、テープカートリッジ自動装着装置（図示せず）が動作し、テープカートリッジホルダ装置５０が所定の位置まで移動され、図１１に一点鎖線示すように、新型テープカートリッジ２０はテープカートリッジホルダ装置５０と共に所定の位置まで移動されてストリーマ装置３０に装着される。この過程で、蓋開きレバー１２９によって、蓋２２が開かれる。
【００５２】
第１、第２の吊り部材７１、７２が振り子のように回動をするとき、腕部７１ａ、７１ｂは同期して回動し、且つ、腕部７２ａ、７２ｂは同期して回動する。よって、カートリッジ上面支持部材６０は水平面を維持しつつ移動し、新型テープカートリッジ収容空間１１０は円滑に形成される。
【００５３】
また、イジェクト指令が送られると、テープカートリッジ自動装着装置（図示せず）が上記とは逆方向に動作し、装着されている新型テープカートリッジ２０はテープカートリッジホルダ装置５０と共に図１１に示す位置までイジェクトされる。その後に、操作者が新型テープカートリッジ２０のうちストリーマ装置３０より突き出ている部分を掴んで引き抜く操作を行なうことによって、新型テープカートリッジ２０がストリーマ装置３０より取り出される。
【００５４】
テープカートリッジグリップ機構１５０が新型テープカートリッジ２０をグリップしているため、テープカートリッジ自動装着装置の動作時に、新型テープカートリッジ２０はテープカートリッジホルダ装置５０と共に移動される。
【図面の簡単な説明】
【００５５】
【図１】本発明の実施例１になるテープカートリッジホルダ装置のスケルトン図であり、（Ａ）は初期状態、（Ｂ）は現行テープカートリッジが挿入された状態、（Ｃ）は新型テープカートリッジが挿入された状態を示す。
【図２】本発明の実施例１になるテープカートリッジホルダ装置の斜視図である。
【図３】第１のロックレバー及び第２のロックレバーを分解して示す図である。
【図４】テープカートリッジホルダ装置の正面図である。
【図５】テープカートリッジホルダ装置の側面図である。
【図６】テープカートリッジホルダ装置の平面図である。
【図７】テープカートリッジ収容空間が拡大された状態のテープカートリッジホルダ装置の正面図である。
【図８】現行テープカートリッジが挿入されて保持された状態を示す斜視図である。
【図９】この状態の側面図である。
【図１０】新型テープカートリッジが挿入されて保持された状態を示す斜視図である。
【図１１】この状態の側面図である。
【図１２】テープカートリッジ機構を拡大して示す斜視図である。
【図１３】テープカートリッジ機構を分解して拡大して示す斜視図である。
【図１４】テープカートリッジグリップ機構及びカートリッジ上面支持部材支持機構の側面図であり、（Ａ）は初期の状態、（Ｂ）は動作時の状態を示す図である。
【図１５】テープカートリッジグリップ機構及びカートリッジ上面支持部材支持機構の側面図であり、（Ｂ）は初期の状態、（Ａ）は現行テープカートリッジが挿入されて保持された状態、（Ｃ）は新型テープカートリッジの挿入途中の状態、（Ｄ）は新型テープカートリッジが挿入されて保持された状態を示す図である。
【図１６】図２のテープカートリッジホルダが適用されるストリーマ装置及び現行テープカートリッジ及び新型テープカートリッジを示す図である。
【図１７】現行テープカートリッジ及び新型テープカートリッジを示す図である。
【符号の説明】
【００５６】
１０  現行テープカートリッジ
１４  ４ｍｍ幅磁気テープ
１９，２９  凹部
２０  新型テープカートリッジ
２４  ８ｍｍ幅磁気テープ
３０  ストリーマ装置
３１  回転ドラム装置
３２，３３  リール軸
３４  磁気テープローディング機構
５０  テープカートリッジホルダ装置
５１  カートリッジ支持部材
５２  横板部
５３，５４  側板部
６０  カートリッジ上面支持部材
６１  ロックピン
６２，６３  ガイドレール部材
６４，６５  ガイドレール
７０  カートリッジ上面支持部材支持機構
７１  第１の吊り部材
７２  第２の吊り部材
８０  二重ロック機構
８１  第１のロック機構
８２  第１ロック部材
８３  フック部
８４  カートリッジ検知ピン
９０、９０Ａ  第２のロック機構
９１  第２ロック部材
９２  フック部
９３  カートリッジ検知ピン
１００  現行テープカートリッジ収容空間
１０１，１１１  入口部
１０２〜１０５  コーナ部
１１０  新型テープカートリッジ収容空間
１２０  フロントパネル
１２０ａ  挿入口
１５０  テープカートリッジグリップ機構
１５１  カートリッジグリップ部材
１５１ａ  凸部
１５１ｂ  スパン部
１５５  リンク部材
１５６  連結ピン
【図１】
0004687386.tif 000002
【図２】
0004687386.tif 000003
【図３】
0004687386.tif 000004
【図４】
0004687386.tif 000005
【図５】
0004687386.tif 000006
【図６】
0004687386.tif 000007
【図７】
0004687386.tif 000008
【図８】
0004687386.tif 000009
【図９】
0004687386.tif 000010
【図１０】
0004687386.tif 000011
【図１１】
0004687386.tif 000012
【図１２】
0004687386.tif 000013
【図１３】
0004687386.tif 000014
【図１４】
0004687386.tif 000015
【図１５】
0004687386.tif 000016
【図１６】
0004687386.tif 000017
【図１７】
0004687386.tif 000018